(57)【要約】【課題】調剤作業の作業効率を向上させることができる収納具を提供する。【解決手段】収納具１０は、一端に常時開放する開口部２１を有し、他端に閉塞した底部２２を有し、開口部２１から底部２２に向かって形成された周壁部２３を備え、自立可能な剛性を有した複数の箱状の収納体２０と、収納体２０どうしを連結する連結部材４０と、を備え、複数の収納体２０を互いに接近させた大収納体３０を形成可能とされている。大収納体３０の形状を保持する保持手段７０を有し、大収納体３０が自立した状態において、少なくとも平面視において、開口部２１が互いに接近した状態とされ、保持手段７０を解除することにより、複数の収納体２０が互いに離隔した離隔状態を形成可能とされている。【選択図】図２
2019118750.tif 000002
【特許請求の範囲】
【請求項１】
一端に常時開放する開口部を有し、他端に閉塞した底部を有し、前記開口部から前記底部に向かって形成された周壁部を備え、自立可能な剛性を有した複数の箱状の収納体と、
前記収納体どうしを連結する連結部材と、を備え、
複数の前記収納体を互いに接近させた大収納体を形成可能とされ、
前記大収納体の形状を保持する保持手段を有し、
前記大収納体が自立した状態において、少なくとも平面視において、前記開口部が互いに接近した状態とされ、
前記保持手段を解除することにより、複数の前記収納体が互いに離隔した離隔状態を形成可能とされていることを特徴とする収納具。
【請求項２】
前記保持手段が、前記大収納体の両端部に位置する前記収納体間に架け渡される拘束部材で形成されていることを特徴とする請求項１記載の収納具。
【請求項３】
前記周壁部の、
前記開口部側の一端に前記収納物の収納位置を規定する表示部が配設され、
前記開口部側の他端に前記開口部から前記底部に向かって切り欠かれた切り欠き部が配設されていることを特徴とする請求項１又は２記載の収納具。
【請求項４】
前記大収納体となった状態における、前記大収納体から延設され前記開口部を覆い可能な蓋部を有し、
前記蓋部は、前記開口部を覆った状態における内面側に自立可能な剛性を有した蓋部収納体が配設され、前記蓋部収納体が、前記開口部を覆い可能とされていることを特徴とする請求項１、２又は３記載の収納具。
【請求項５】
前記収納物が薬物であり、前記離隔状態において薬物カレンダーとなることを特徴とする請求項１、２、３又は４記載の収納具。
【請求項６】
前記大収納体が自立した状態において、各前記開口部が上下方向において段差を有して配置可能とされていることを特徴とする請求項１記載の収納具。
【発明の詳細な説明】
【技術分野】
【０００１】
本発明は、変形可能な収納具に関するものである。
【背景技術】
【０００２】
従来の収納具として、特許文献１に記載されるものがあった。上記の収納具では、本体シートの表面に、日付、曜日、服用時間帯のプレートを収納可能な複数のプレートポケットと、薬物を収納可能な複数の薬物収納ポケットと、が縦と横に複数列配設され、壁等に吊り下げて使用されるものであった。
【０００３】
これにより、薬物の飲み忘れや飲み間違えを防止することができていた。
【先行技術文献】
【特許文献】
【０００４】
【特許文献１】実用新案登録第３０９４３７７号公報
【発明の概要】
【発明が解決しようとする課題】
【０００５】
しかし、上記の収納具では、薬物を薬物収納ポケットに収納するときには、調剤台の上面に、本体シートを展開して行うことになる。薬物収納ポケットは、縦と横にそれぞれ複数列配設されているため作業領域が広くなる。また、薬物収納ポケットは、本体シートの基材の表面にシート片を重ね合わせ、シート片の側縁及び下縁を、基材と接着して作出されているので、薬物収納ポケットの開口部は、本体シートとシート片が重なり合って狭いために、薬物の収納作業の効率が悪くなるという問題があった。
【０００６】
本発明は、上記事情に鑑み、収納物の収納作業の効率を向上させることができる収納具を提供するものである。
【課題を解決するための手段】
【０００７】
請求項１記載の発明では、一端に常時開放する開口部を有し、他端に閉塞した底部を有し、前記開口部から前記底部に向かって形成された周壁部を備え、自立可能な剛性を有した複数の箱状の収納体と、
前記収納体どうしを連結する連結部材と、を備え、
複数の前記収納体を互いに接近させた大収納体を形成可能とされ、
前記大収納体の形状を保持する保持手段を有し、
前記大収納体が自立した状態において、少なくとも平面視において、前記開口部が互いに接近した状態とされ、
前記保持手段を解除することにより、複数の前記収納体が互いに離隔した離隔状態を形成可能とされていることを特徴とする。
【０００８】
これによれば、自立可能な剛性を有し、常時開放する開口部を備える構成として、収納体へ収納物を収納しやすくするとともに、少なくとも平面視において、開口部を互いに接近させた大収納体を形成することで、収納作業の作業領域を狭くすることができる。よって、収納物の収納作業の効率を向上させることができる。
【０００９】
また、前記保持手段が、前記大収納体の両端部に位置する前記収納体間に架け渡される拘束部材で形成されている。
【００１０】
これによれば、帯状の拘束部材を、大収納体の両端部に位置する収納体間に架け渡すことで、作業工数をかけることなく大収納体を保持することができる。
【００１１】
また、前記周壁部の、前記開口部側の一端に前記収納物の収納位置を規定する表示部が配設され、前記開口部側の他端に前記開口部から前記底部に向かって切り欠かれた切り欠き部が配設されている。
【００１２】
これによれば、切り欠き部により、収納物の収納位置を規定する表示部の視認性を確保することができるので、収納物の収納作業の効率を向上させることにつながる。
【００１３】
また、前記大収納体となった状態における、前記大収納体から延設され前記開口部を覆い可能な蓋部を有し、前記蓋部は、前記開口部を覆った状態における内面側に自立可能な剛性を有した蓋部収納体が配設され、前記蓋部収納体が、前記開口部を覆い可能とされている。
【００１４】
これによれば、自立可能な剛性を有した蓋部収納体が、開口部を覆うことで、収納体に収納された収納物が、外に出てしまうことを防止することができる。
【００１５】
また、前記収納物が薬物であり、前記離隔状態において薬物カレンダーとなる。
【００１６】
これによれば、薬物の収納作業の効率を向上させた薬物カレンダーとすることができる。
【００１７】
また、前記大収納体が自立した状態において、各前記開口部が上下方向において段差を有して配置可能とされている。
【００１８】
このような構成としても、収納物の収納作業の効率を向上させることができる。
【図面の簡単な説明】
【００１９】
【図１】本発明における一実施形態の収納具の大収納体を形成して蓋部を閉じたときの斜視図である。
【図２】同実施形態の収納具の大収納体を形成して蓋部を開けたときの斜視図である。
【図３】同実施形態の収納具の収納体を離隔させた状態の正面展開図である。
【図４】同実施形態の収納具の収納体を離隔させた状態の背面展開図である。
【図５】同実施形態の収納具の収納体を離隔させた状態の使用状態を示す斜視図である。
【図６】大収納体を形成したときの説明側面図である。
【図７】保持手段の変形例の説明図である。
【図８】保持手段の他の変形例の説明図である。
【図９】保持手段の他の変形例の説明図である。
【図１０】保持手段の他の変形例の説明図である。
【図１１】連結部材の変形例の斜視図である。
【図１２】本発明における他の実施形態の収納具の（ａ）は概略平面図、（ｂ）は概略正面図、（ｃ）は概略側面図である。
【図１３】同実施形態の保持手段の説明図である。
【発明を実施するための形態】
【００２０】
本発明における収納具の一実施形態を図面に基づいて説明する。特にことわらない限り、以下の説明では、各図面に付される矢印の、Ｆを前、Ｂを後ろ、Ｒを右、Ｌを左、Ｕを上、Ｄを下、方向とする。
【００２１】
収納具１０は、概略的には、図１〜６に示すように、複数の収納体２０と、収納体２０どうしを連結する連結部材４０と、複数の収納体２０を互いに接近させた後述する大収納体３０の形状を保持する保持手段７０と、を有している。
【００２２】
本実施形態では、収納具１０は、収納物として薬物Ｍが収納され、離隔状態（展開状態）において薬物カレンダーとなる収納具とされている。なお、大収納体３０となる状態については、後で詳説する。
【００２３】
各収納体２０（区別するときは、図３等における上から順に、収納体２０ａ、収納体２０ｂ、収納体２０ｃ、収納体２０ｄ、収納体２０ｅ、収納体２０ｆ、収納体２０ｇとする）は、図１〜３、５、６に示すように、自立可能な剛性を有した合成樹脂で形成され、一端（上端）に常時開放する開口部２１を有し、他端（下端）に閉塞した底部２２を有し、開口部２１から底部２２に向かって形成された周壁部２３を備え、外形形状が、左右方向が長い直方体状の箱状に形成されている。
【００２４】
収納体２０の内部には、三つの仕切板２４が配設され、左右方向において四つの空間に区画されている。
【００２５】
周壁部２３の、開口部２１側の一端（後端）の内面に、薬物Ｍの収納位置を規定する表示部２５が配設されている。
【００２６】
本実施形態では、表示部２５は、図３、５に示すように、収納体２０の四つに区画された空間毎に、上から順に日曜から土曜までの曜日と、左から順に朝、昼、夜、就寝前の服用時間帯と、が組み合されて薬物Ｍの服用時期が印刷されて形成されている。これにより、薬物Ｍの服用時期に応じて薬物Ｍの収納位置が規定され、薬物Ｍの収納間違え、薬物Ｍの飲み間違えを防止することができる。
【００２７】
周壁部２３の開口部２１側の他端（前端）に、開口部２１から底部２２に向かって切り欠かれた切り欠き部２６が配設されている。本実施形態では、切り欠き部２６は、上辺が下辺より長い台形状に切り欠かれて形成されている。これにより、表示部２５の視認性を向上させることができる。
【００２８】
連結部材４０は、可撓性を有する矩形状の合成樹脂製のシートで形成されている。連結部材４０は、図３〜５に示すように、収納体２０の左右方向の幅と略同一の幅に形成されている。
【００２９】
連結部材４０には、図３、４の状態において、各収納体２０が、開口部２１が上となるようにそれぞれ取り付けられている。換言すれば、収納体２０の長手方向が、連結部材４０の短手方向に沿うように取り付けられている。
【００３０】
図３、４の状態における、連結部材４０の、最下部に取り付けられた収納体２０ｇの、下方の後面の左右の角部には、後述する帯状部材８１、８２に取り付けられる内面ファスナー８３、８４と接着可能な下部面ファスナー４１、４２が取り付けられている。
【００３１】
また、本実施形態では、図４、６に示すように、収納体２０ａから収納体２０ｇまでの、各収納体２０の間の領域には、左右方向に沿って山折り線４３がそれぞれ設けられている。なお、本実施形態おいては、山折りは、図６における山折りをいう。
【００３２】
本実施形態では、最上部に位置する収納体２０ａは、周壁部２３の後面の略全域が連結部材４０と接着されている。
【００３３】
収納体２０ａより下に位置する収納体２０ｂから収納体２０ｇは、周壁部２３の後面の、山折り線４３の下側、かつ、上下方向における下端から中央下部より下までの領域が、連結部材４０と接着されている。これは、図５の使用状態における、収納体２０の上下方向における間隔が、広く又は狭くなり、薬物Ｍの服薬時に取り出しにくくならないようにすることを考慮したものである。
【００３４】
本実施形態では、連結部材４０の、最上部に取り付けられた収納体２０より上側の部分には、収納体２０の開口部２１を覆い可能な蓋部５０が配設されている。
【００３５】
換言すれば、図１、２に示す、後述する大収納体３０となった状態における、大収納体３０から延設され開口部２１を覆い可能な蓋部５０を有していることになる。
【００３６】
蓋部５０の前側の面の左右の端部には、後述する外面ファスナー８５、８６と接着可能な上部面ファスナー５１、５２がそれぞれ取り付けられている。
【００３７】
蓋部５０は、開口部２１を覆った状態における内面側（図３における手前側）となる面に自立可能な剛性を有した蓋部収納体６０が配設され、蓋部収納体６０が、開口部２１を覆い可能とされている。
【００３８】
蓋部５０の後面の蓋部収納体６０に対応する位置には、壁等に吊り下げ可能とする吊り下げ紐５３が取り付けられている。
【００３９】
蓋部収納体６０は、図１〜３、５、６等に示すように、一端（図３における上端）に常時開放する開口部６１を有し、他端（図３における下端）に閉塞した底部６２を有し、開口部６１から底部６２に向かって形成された周壁部６３を備え、外形形状が、左右方向が長い直方体状の箱状に形成されている。
【００４０】
蓋部収納体６０の開口部６１から底部６２までの長さは、七つの収納体２０の前後方向の幅を合わせた長さと略同一に設定されている。換言すれば、蓋部収納体６０の開口部６１から底部６２までの長さは、図１、２状態において、七つの開口部２１を覆い可能な長さに設定されている。
【００４１】
蓋部５０には、図３〜５の状態において、蓋部収納体６０が、開口部６１が上となるようにそれぞれ取り付けられている。換言すれば、蓋部収納体６０の長手方向が、連結部材４０の短手方向に沿うように取り付けられている。
【００４２】
収納具１０は、図１、２の状態における、大収納体３０の形状を保持する保持手段７０を有している。
【００４３】
本実施形態では、図１、２に示す状態で、大収納体３０の両端部に位置する収納体２０ａ、収納体２０ｇ間に架け渡される拘束部材８０で構成されている。
【００４４】
拘束部材８０は、一対の帯状部材８１、８２と、内面ファスナー８３、８４と、下部面ファスナー４１、４２と、で構成されている。
【００４５】
帯状部材８１、８２は、可撓性を有した合成樹脂で形成されている。帯状部材８１では右側の端部が連結部材４０の左側の端部に、帯状部材８２では左側の端部が連結部材４０の右側の端部に、それぞれ取り付けられている。
【００４６】
図３〜５に示すように、帯状部材８１、８２の自由端側においては、帯状部材８１の前面側には内面ファスナー８３が、帯状部材８２の前面側には内面ファスナー８４が取り付けられ、帯状部材８１の後面側には外面ファスナー８５が、帯状部材８２の後面側には外面ファスナー８６が取り付けられている。
【００４７】
詳説すると、図３、４の状態において、帯状部材８１、８２の、大収納体３０を保持するときに内側となる部分に内面ファスナー８３、８４が、大収納体３０を保持するときに外側となる部分に外面ファスナー８５、８６が、取り付けられていることになる。
【００４８】
本実施形態における機能作用を説明する。図５の状態においては、従来の薬物カレンダーと同様に、壁等に吊り下げて、表示部２５に表示された薬物Ｍの服用時期どおりに、薬物Ｍを服用することができる。
【００４９】
収納具１０を、例えば調剤台の上に図３、４の展開した状態で乗せて、収納体２０ｂから収納体２０ｇまでの各収納体２０の間の領域にある、連結部材４０の各山折り線４３を折り曲げて、図６に示すように、隣接する収納体２０の周壁部２３が対向するように集合させて、大収納体３０を形成する。換言すれば、上下方向からみて、少なくとも平面視において、各開口部２１が互いに接近した状態に集合させることになる。
【００５０】
そして、図２に示すように、帯状部材８１、８２を、収納体２０ａから収納体２０ｇまで架け渡して、対応する、内面ファスナー８３、８４と下部面ファスナー４１、４２とをそれぞれ接着させる。これにより、収納体２０の集合状態が保持される。つまり、作業工数をかけることなく大収納体３０の形状が保持可能となる。
【００５１】
各収納体２０は、自立可能な剛性を有しているので、調剤台に乗せられた大収納体３０は開口部２１を上にした、自立状態となる。
【００５２】
周壁部２３の、開口部２１の後端の内面に、薬物Ｍの収納位置を規定する表示部２５が配設され、周壁部２３の開口部２１の前端に設けられた切り欠き部２６により、表示部２５の視認性が向上する。
【００５３】
そして、開口部２１が常時開放しているので、各収納体２０へ収納物としての薬物Ｍを収納しやすくなる。また、平面視において、開口部２１を互いに接近させた大収納体３０を形成することで、収納作業の作業領域を狭くすることができ、薬物Ｍの収納作業の効率を向上させることができる。
【００５４】
各収納体２０に薬物Ｍを収納したら、図１に示すように、蓋部５０で開口部２１を覆い、対応する上部面ファスナー５１、５２と、外面ファスナー８５、８６とをそれぞれ接着して、蓋部５０が開かないように保持する。このとき、蓋部収納体６０が集合した開口部２１を覆うことになる。蓋部収納体６０は、自立可能な剛性を有しているので、収納体２０に収納された薬物Ｍが、外に出てしまうことを防止する。
【００５５】
そして、図１の状態から、対応する上部面ファスナー５１、５２と、外面ファスナー８５、８６との接着をそれぞれ解除して、図２に示すように、蓋部５０を開く。さらに、対応する、内面ファスナー８３、８４と下部面ファスナー４１、４２との接着をそれぞれ解除する。これにより、収納体２０の集合状態が解除されて、収納体２０が互いに離隔した離隔状態を形成できる。収納体２０を離隔状態としたら、吊り下げ紐５３を用いて壁等に吊り下げて、図５に示す、薬物Ｍを服薬可能な薬物カレンダーとして使用する。
【００５６】
本実施形態の収納具１０では、一端に常時開放する開口部２１を有し、他端に閉塞した底部２２を有し、開口部２１から底部２２に向かって形成された周壁部２３を備え、自立可能な剛性を有した複数の箱状の収納体２０と、収納体２０どうしを連結する連結部材４０と、を備え、複数の収納体２０を互いに接近させた大収納体３０を形成可能とされ、大収納体３０の形状を保持する保持手段７０を有し、大収納体３０が自立した状態において、少なくとも平面視において、開口部２１が互いに接近した状態とされ、保持手段７０を解除することにより、複数の収納体２０が互いに離隔した離隔状態を形成可能とされていることを特徴とする。
【００５７】
これによれば、自立可能な剛性を有し、常時開放する開口部２１を備える構成として、収納体２０へ収納物としての薬物Ｍを収納しやすくするとともに、少なくとも平面視において、開口部２１を互いに接近させた大収納体３０を形成することで、収納作業の作業領域を狭くすることができる。よって、薬物Ｍの収納作業の効率を向上させることができる。
【００５８】
また、保持手段７０が、大収納体３０の両端部に位置する収納体２０間に架け渡される拘束部材８０で形成されている。
【００５９】
これによれば、帯状の拘束部材８０を、大収納体３０の両端部に位置する収納体２０間に架け渡すことで、作業工数をかけることなく大収納体３０を保持することができる。
【００６０】
また、周壁部２３の、開口部２１側の一端に薬物Ｍの収納位置を規定する表示部２５が配設され、開口部２１側の他端に開口部２１から底部２２に向かって切り欠かれた切り欠き部２６が配設されている。
【００６１】
これによれば、切り欠き部２６により、薬物Ｍの収納位置を規定する表示部２５の視認性を確保することができるので、薬物Ｍの収納作業の効率を向上させることにつながる。
【００６２】
また、大収納体３０となった状態における、大収納体３０から延設され開口部２１を覆い可能な蓋部５０を有し、蓋部５０は、開口部２１を覆った状態における内面側に自立可能な剛性を有した蓋部収納体６０が配設され、蓋部収納体６０が、開口部２１を覆い可能とされている。
【００６３】
これによれば、自立可能な剛性を有した蓋部収納体６０が、開口部２１を覆うことで、収納体２０に収納された薬物Ｍが、外に出てしまうことを防止することができる。
【００６４】
また、収納物が薬物Ｍであり、離隔状態において薬物カレンダーとなる。
【００６５】
これによれば、薬物Ｍの収納作業の効率を向上させた薬物カレンダーとすることができる。
【００６６】
本発明の収納具は上記構成に限定されるものではない。即ち、本発明の要旨を逸脱しない限り各種の設計変更等が可能である。以下に、変形した態様を例示する。収納具１０と共通する構成については、同一符号を付してそれらの説明の全部又は一部を省略する。
【００６７】
他の実施形態として、収納具１０Ａでは、図１２（ａ）、（ｂ）、（ｃ）に示すように、大収納体３０が自立した状態において、各開口部２１が上下方向において段差を有して配置可能とされている。
【００６８】
収納具１０Ａでは、保持手段７０として、図１３（ａ）、（ｂ）に示す、隣接する収納体２０を係合可能とする係合部材９０が用いられている。
【００６９】
係合部材９０は、Ｌ字状に形成され収納体２０の左右の端部の前側に配置される係止部９１と、筒状に形成され収納体２０の左右の端部の後側に配置され係止部９１を挿入可能な被係止部９２と、を有している。
【００７０】
係止部９１と被係止部９２は、大収納体３０の両端部に位置する収納体２０ａ、収納体２０ｇを除いた収納体２０ｂから収納体２０ｆに取り付けられている。
【００７１】
最上部に位置する収納体２０ａは、係止部９１のみで構成し、図示しないが最下部に位置する収納体２０ｇには、被係止部９２のみで構成することになる。
【００７２】
収納具１０Ａでは、図１３（ａ）、（ｂ）に示すように、収納体２０ａに係止部９１を前後方向の向きを変えて配設するとともに、被係止部９２を蓋部収納体６０に配設する構成として、大収納体３０が後側に倒れないようにすることが望ましい。
【００７３】
このような構成としても、収納物として薬物Ｍの収納作業の効率を向上させることができる。
【００７４】
また、蓋部５０が無い構成として、各収納体２０を離隔させないで大収納体３０を形成した状態で、据え置き型の収納具（薬物カレンダー）として使用することも可能である。
【００７５】
また、他の保持手段７０として、図７（ａ）、（ｂ）に示すように、折り合わされる連結部材４０のドットが付された領域に、吸盤７５、面ファスナー７６、磁石７７等を配設して、大収納体３０を形成したときに接着して保持する構成とすることも可能である。
【００７６】
また、保持手段７０を、図８（ａ）に示すように、一の収納体２０の左右の端部にボタン部材１１０を配設し、隣接する収納体２０の左右の端部にボタン部材１１０に掛止可能な紐部材１１１を、配設する構成とすることも可能である。これに関連して、収納体２０ａに取り付けられた紐部材１１１と、収納体２０ｇに取り付けられたボタン部材１１０と、を架け渡すような構成とすることも可能である。このような構成とすれば、使用する部材を少なくすることができる。
【００７７】
また、保持手段７０を、図８（ｂ）に示すように、一の収納体２０の左右の端部に配設される円環状の円環部１０１と、隣接する収納体２０の左右の端部に配設される略Ｌ字状に形成された揺動可能な引っ掛け部１０２と、を有したあおり止め部材１００を隣接する収納体２０に配設することも可能である。
【００７８】
これに関連して、収納体２０ａに取り付けられた引っ掛け部１０２と、収納体２０ｇに取り付けられた円環部１０１と、を架け渡すような構成とすることも可能である。このような構成とすれば、使用する部材を少なくすることができる。
【００７９】
また、保持手段７０を、図９（ａ）、（ｂ）、（ｃ）に示すような、平面視において、一の収納体２０の左右の端部に配設される、略矢印形状の咬合部材１２０と、咬合部材１２０に対応した形状の被咬合部材１２１と、を一体構成して隣接する収納体２０どうしを係合させる構成とすることも可能である。
【００８０】
また、保持手段７０を、図１０に示すような、櫛状に形成され、各収納体２０の開口部２１から底部２２に向かって挿入可能な櫛状部材１３０を、各収納体２０の左右の端部に挿入する構成とすることも可能である。
【００８１】
また、保持手段７０を、一本の帯状部材で構成して、例えば、大収納体３０の収納体２０ａの左の端部から、収納体２０ｇを経て、収納体２０ａの右側の端部まで、架け渡すことも可能である。
【００８２】
また、連結部材４０は、図１１（ａ）に示す左右方向における中央部部分のみ、図１１（ｂ）に示す左右方向の端部のみ、に配置して各収納体２０を連結することもできる。
【００８３】
また、収納体２０、蓋部収納体６０は、合成樹脂製としたが、自立できる剛性を有するのであれば、金属その他の部材を用いることができる。
【００８４】
また、連結部材４０、帯状部材８１、８２は、合成樹脂製としたが、変形可能な部材であれば、布その他の部材を用いることができる。
【００８５】
また、上記実施形態では、収納体２０の数を七つとし、それぞれ四つの空間に区画したが、使用態様に応じて適宜変更することができる。
【００８６】
また、上記実施形態では、表示部２５の表示は、日〜土曜日、朝、昼、夜、就寝前としたが、使用態様に応じて適宜変更することができる。
【００８７】
また、蓋部５０は、収納体２０の開口部２１を覆うことができるのであれば、使用態様に応じて適宜変更することができる。
【００８８】
また、薬物Ｍを収納する薬物カレンダー以外の収納具として使用することも可能である。この場合、収納体２０の数、形態、表示部２５の表示等を、使用態様に応じて適宜変更することができる。
【符号の説明】
【００８９】
１０  収納具
１０Ａ  収納具
２０  収納体
２０ａ  収納体
２０ｂ  収納体
２０ｃ  収納体
２０ｄ  収納体
２０ｅ  収納体
２０ｆ  収納体
２０ｇ  収納体
２１  開口部
２２  底部
２３  周壁部
２５  表示部
２６  切り欠き部
３０  大収納体
４０  連結部材
４１  下部面ファスナー
４２  下部面ファスナー
５０  蓋部
６０  蓋部収納体
７０  保持手段
８０  拘束部材
Ｍ  薬物
【図１】
2019118750.tif 000003
【図２】
2019118750.tif 000004
【図３】
2019118750.tif 000005
【図４】
2019118750.tif 000006
【図５】
2019118750.tif 000007
【図６】
2019118750.tif 000008
【図７】
2019118750.tif 000009
【図８】
2019118750.tif 000010
【図９】
2019118750.tif 000011
【図１０】
2019118750.tif 000012
【図１１】
2019118750.tif 000013
【図１２】
2019118750.tif 000014
【図１３】
2019118750.tif 000015